(57)【要約】【課題】支持部材が不等沈下しても、ガーダの長手方向における気温差に伴う熱膨張・収縮差や地震に伴う変位差を確実に吸収し得、運転を円滑に継続し得るベルトコンベヤのガーダ支持構造を提供する。【解決手段】第二ガーダ５ｂの下面に、円弧状面１２ａを有した湾曲ブロック１２を取り付け、支持部材としての第二中継タワー３の梁部材３ａ上面に、前記湾曲ブロック１２の円弧状面１２ａが当接する平坦面１６ａを有した支承プレート１６を取り付ける。【選択図】図１
2009286622.tif 000002
【特許請求の範囲】
【請求項１】
所要間隔をあけて配設される支持部材間に、搬送ベルトの移動方向へ延びるガーダを掛け渡すように配設してなるベルトコンベヤのガーダ支持構造において、
前記ガーダの一端部を支持部材に対し、ガーダの長手方向と直角な水平方向へ延びる支承ピンを中心に回動自在となるよう枢着すると共に、前記ガーダの他端部を支持部材に対し、該ガーダの他端部の下面と支持部材の上面とのいずれか一方に取り付けられ且つ前記支承ピンと平行な軸心を中心とする円弧状面を有した湾曲ブロックと、前記ガーダの他端部の下面と支持部材の上面とのいずれか他方に取り付けられ且つ前記湾曲ブロックの円弧状面が当接する平坦面を有した支承プレートとを介して載置したことを特徴とするベルトコンベヤのガーダ支持構造。
【請求項２】
前記ガーダの他端部と支持部材との間に、該ガーダの浮き上がりを防ぐ浮上阻止手段を設けた請求項１記載のベルトコンベヤのガーダ支持構造。
【請求項３】
前記ガーダの他端部の下面に湾曲ブロックを取り付け、前記支持部材の上面に支承プレートを取り付け、
前記浮上阻止手段を、前記湾曲ブロックから側方へ張り出す突出ピンと、該突出ピンの上方への移動を拘束しつつ該突出ピンの軸心と直角な水平方向への突出ピンのスライドを可能とするよう前記支持部材の上面に取り付けられたカバーブラケットとから構成した請求項２記載のベルトコンベヤのガーダ支持構造。
【発明の詳細な説明】
【技術分野】
【０００１】
本発明は、ベルトコンベヤのガーダ支持構造に関するものである。
【背景技術】
【０００２】
一般に、図４に示される如く、ベルトコンベヤ１は、所要間隔をあけて配設される支持部材としての第一中継タワー２と第二中継タワー３との間に、搬送ベルト４の移動方向へ延びるガーダ５を掛け渡すように配設してなる構成を有している。
【０００３】
図４に示されるベルトコンベヤ１の場合、前記ガーダ５は、その基端側から先端側へ向け所要の上り勾配となるよう傾斜配置されると共に、その長手方向中間部において第一ガーダ５ａと第二ガーダ５ｂとに二分割され、該二分割された第一ガーダ５ａの基端部が前記第一中継タワー２に対し、ガーダ５の長手方向と直角な水平方向へ延びる支承ピン６を中心に回動自在となるよう枢着されると共に、前記第一ガーダ５ａの先端部が支持部材としての中間支持脚７に対し、前記支承ピン６の軸心と直角な水平方向へスライド自在に載置され、更に、前記二分割された第二ガーダ５ｂの基端部が前記中間支持脚７に対し、ガーダ５の長手方向と直角な水平方向へ延びる支承ピン８を中心に回動自在となるよう枢着されると共に、前記第二ガーダ５ｂの先端部が前記第二中継タワー３に対し、前記支承ピン８の軸心と直角な水平方向へスライド自在に載置されている。
【０００４】
更に詳しくは、図５に示される如く、前記第二中継タワー３のＩ形鋼等からなる梁部材３ａの上面にはベースプレート９が溶接等で取り付けられると共に、前記第二ガーダ５ｂの先端部下面には、前記ベースプレート９に対し摺動自在に面接触するスライドプレート１０が溶接等で取り付けられている。
【０００５】
このような構造を採用しているので、夏季と冬季の気温差に伴う前記ガーダ５の長手方向における熱膨張・収縮差や、地震発生時の揺れに伴う前記ガーダ５の長手方向における変位差は、前記ベースプレート９とスライドプレート１０とが互いに面接触した状態で相対的に摺動することにより吸収されるようになっている。
【０００６】
尚、前記第一ガーダ５ａ及び第二ガーダ５ｂの先端側における幅方向のスライド並びに浮き上がりに関しては、図示していないストッパにより移動が制限されるようになっている。
【０００７】
因みに、前述の如く、所要間隔をあけて配設される支持部材間に、搬送ベルトの移動方向へ延びるガーダを掛け渡すように配設してなるベルトコンベヤの一般的技術水準を示すものとしては、例えば、特許文献１がある。
【特許文献１】特開平７−２７７４６０号公報
【発明の開示】
【発明が解決しようとする課題】
【０００８】
ところで、前述の如きベルトコンベヤ１の設置箇所において地盤沈下が発生した場合、前記支持部材としての第一中継タワー２、第二中継タワー３、及び中間支持脚７は、それぞれ自重が異なり且つそれ自体に加わる荷重にも差があることから、均等に沈下することはほとんどないため、特に、図５の仮想線で示される如く、前記第二中継タワー３が他の支持部材に対し不等沈下すると、前記第二ガーダ５ｂの傾斜角度が変化し、前記ベースプレート９に対してスライドプレート１０が面接触しなくなり、円滑なスライドが困難となって、夏季と冬季の気温差に伴う前記ガーダ５の長手方向における熱膨張・収縮差や、地震発生時の揺れに伴う前記ガーダ５の長手方向における変位差を吸収することができなくなる虞があった。
【０００９】
本発明は、斯かる実情に鑑み、支持部材が不等沈下しても、ガーダの長手方向における気温差に伴う熱膨張・収縮差や地震に伴う変位差を確実に吸収し得、運転を円滑に継続し得るベルトコンベヤのガーダ支持構造を提供しようとするものである。
【課題を解決するための手段】
【００１０】
本発明は、所要間隔をあけて配設される支持部材間に、搬送ベルトの移動方向へ延びるガーダを掛け渡すように配設してなるベルトコンベヤのガーダ支持構造において、
前記ガーダの一端部を支持部材に対し、ガーダの長手方向と直角な水平方向へ延びる支承ピンを中心に回動自在となるよう枢着すると共に、前記ガーダの他端部を支持部材に対し、該ガーダの他端部の下面と支持部材の上面とのいずれか一方に取り付けられ且つ前記支承ピンと平行な軸心を中心とする円弧状面を有した湾曲ブロックと、前記ガーダの他端部の下面と支持部材の上面とのいずれか他方に取り付けられ且つ前記湾曲ブロックの円弧状面が当接する平坦面を有した支承プレートとを介して載置したことを特徴とするベルトコンベヤのガーダ支持構造にかかるものである。
【００１１】
上記手段によれば、以下のような作用が得られる。
【００１２】
仮に支持部材が不等沈下し、ガーダの角度が変化したとしても、支承プレートに対する湾曲ブロックの接触状態は、該湾曲ブロックの円弧状面が支承プレートの平坦面上を転動するのみで変化せず、円滑なスライドが常に可能となるため、夏季と冬季の気温差に伴う前記ガーダの長手方向における熱膨張・収縮差や、地震発生時の揺れに伴う前記ガーダの長手方向における変位差を確実に吸収することが可能となる。
【００１３】
前記ベルトコンベヤのガーダ支持構造においては、前記ガーダの他端部と支持部材との間に、該ガーダの浮き上がりを防ぐ浮上阻止手段を設けることが好ましい。
【００１４】
この場合、前記ガーダの他端部の下面に湾曲ブロックを取り付け、前記支持部材の上面に支承プレートを取り付け、
前記浮上阻止手段を、前記湾曲ブロックから側方へ張り出す突出ピンと、該突出ピンの上方への移動を拘束しつつ該突出ピンの軸心と直角な水平方向への突出ピンのスライドを可能とするよう前記支持部材の上面に取り付けられたカバーブラケットとから構成することができる。
【発明の効果】
【００１５】
本発明のベルトコンベヤのガーダ支持構造によれば、支持部材が不等沈下しても、ガーダの長手方向における気温差に伴う熱膨張・収縮差や地震に伴う変位差を確実に吸収し得、運転を円滑に継続し得るという優れた効果を奏し得る。
【発明を実施するための最良の形態】
【００１６】
以下、本発明の実施の形態を添付図面を参照して説明する。
【００１７】
図１〜図３は本発明を実施する形態の一例であって、図中、図４及び図５と同一の符号を付した部分は同一物を表わしており、基本的な構成は図４及び図５に示す従来のものと同様であるが、本図示例の特徴とするところは、図１〜図３に示す如く、第二ガーダ５ｂの下面に固着された支持板１１に対し、支承ピン８（図４参照）と平行な軸心を中心とする円弧状面１２ａを有した湾曲ブロック１２と一体のブロックプレート１３をボルト等の締結部材１４にて取り付け、支持部材としての第二中継タワー３の梁部材３ａ上面に固着された保持板１５に対し、前記湾曲ブロック１２の円弧状面１２ａが当接する平坦面１６ａを有した支承プレート１６と一体の固定プレート１７をボルト等の締結部材１８にて取り付けた点にある。
【００１８】
本図示例の場合、前記湾曲ブロック１２から側方へ突出ピン１９を張り出させ、該突出ピン１９の上方への移動を拘束しつつ該突出ピン１９の軸心と直角な水平方向への突出ピン１９のスライドを可能とするカバーブラケット２０を、前記固定プレート１７上面に取り付けることにより、第二ガーダ５ｂの浮き上がりを防ぐ浮上阻止手段２１を構成してある。
【００１９】
前記浮上阻止手段２１のカバーブラケット２０は、前記固定プレート１７上面に、前記湾曲ブロック１２の側面と平行に延びるブラケット本体２０ａを、サポート部材２０ｂを介して立設し、該ブラケット本体２０ａに、前記突出ピン１９を受ける凹溝２０ｃが形成されたスライドベース部材２０ｄをボルト等の締結部材２０ｅにて取り付けると共に、前記突出ピン１９の上方を覆い且つ前記凹溝２０ｃに蓋をするように延びるカバー部材２０ｆを取り付けてなる構成を有している。
【００２０】
尚、前記第二ガーダ５ｂの基端部は、図４に示される従来例と同様、支持部材としての中間支持脚７に対し、ガーダ５の長手方向と直角な水平方向へ延びる支承ピン８を中心に回動自在となるよう枢着してある。
【００２１】
次に、上記図示例の作用を説明する。
【００２２】
仮に、図１の仮想線で示す如く、支持部材としての第二中継タワー３が不等沈下し、第二ガーダ５ｂの傾斜角度が変化したとしても、支承プレート１６に対する湾曲ブロック１２の接触状態は、該湾曲ブロック１２の円弧状面１２ａが支承プレート１６の平坦面１６ａ上を転動するのみで変化しない。
【００２３】
そして、その状態で、前記湾曲ブロック１２と支承プレート１６とが相対的に摺動でき、且つ前記突出ピン１９がブラケット本体２０ａの凹溝２０ｃに沿って摺動でき、円滑なスライドが常に可能となるため、夏季と冬季の気温差に伴う前記ガーダ５の長手方向における熱膨張・収縮差や、地震発生時の揺れに伴う前記ガーダ５の長手方向における変位差を確実に吸収することが可能となる。
【００２４】
又、前記第二ガーダ５ｂが浮き上がろうとした場合には、浮上阻止手段２１を構成する前記突出ピン１９がカバーブラケット２０のカバー部材２０ｆにより上方への移動を拘束される。
【００２５】
更に又、前記第二ガーダ５ｂが幅方向へスライドしようとした場合には、前記湾曲ブロック１２及び突出ピン１９がカバーブラケット２０により側方への移動を拘束される。
【００２６】
こうして、支持部材としての第二中継タワー３が不等沈下しても、ガーダ５の長手方向における気温差に伴う熱膨張・収縮差や地震に伴う変位差を確実に吸収し得、運転を円滑に継続し得る。
【００２７】
尚、本発明のベルトコンベヤのガーダ支持構造は、上述の図示例にのみ限定されるものではなく、ガーダが傾斜配置されずに水平配置されるベルトコンベヤにも適用可能なこと、又、中間支持脚が設けられておらずガーダが複数分割されていないベルトコンベヤ、或いは逆にガーダが三分割以上に複数分割されて中間支持脚が複数設けられているベルトコンベヤにも適用可能なこと、又、湾曲ブロックを支持部材の上面側に設けると共に、支承プレートをガーダの他端部の下面側に設けるようにしても良いこと等、その他、本発明の要旨を逸脱しない範囲内において種々変更を加え得ることは勿論である。
【図面の簡単な説明】
【００２８】
【図１】本発明を実施する形態の一例を示す要部拡大側面図である。
【図２】本発明を実施する形態の一例を示す要部拡大平面図であって、図１のＩＩ−ＩＩ矢視相当図である。
【図３】本発明を実施する形態の一例を示す要部拡大正面図であって、図１のＩＩＩ−ＩＩＩ矢視相当図である。
【図４】従来のベルトコンベヤのガーダ支持構造の一例を示す全体概要側面図である。
【図５】従来のベルトコンベヤのガーダ支持構造の一例を示す要部拡大側面図であって、図４のＶ部相当図である。
【符号の説明】
【００２９】
１    ベルトコンベヤ
２    第一中継タワー（支持部材）
３    第二中継タワー（支持部材）
３ａ  梁部材
４    搬送ベルト
５    ガーダ
５ａ  第一ガーダ
５ｂ  第二ガーダ
６    支承ピン
７    中間支持脚（支持部材）
８    支承ピン
１２    湾曲ブロック
１２ａ  円弧状面
１６    支承プレート
１６ａ  平坦面
１９    突出ピン
２０    カバーブラケット
２０ａ  ブラケット本体
２０ｃ  凹溝
２０ｄ  スライドベース部材
２０ｆ  カバー部材
２１    浮上阻止手段
【図１】
2009286622.tif 000003
【図２】
2009286622.tif 000004
【図３】
2009286622.tif 000005
【図４】
2009286622.tif 000006
【図５】
2009286622.tif 000007